(57)【特許請求の範囲】
【請求項１】
光ケーブル側から送られた光信号を光電変換素子を介して受信することにより、当該光信号に応じてデータ信号を伝送する信号伝送装置において、
前記光電変換素子からの電気信号に基づいてデータ伝送を行うメイン制御手段と、
電源がオンされた状態に設定されているとともに、前記光電変換素子からの電気信号に基づいて前記メイン制御手段の電源のオンオフを管理する電源管理手段と、を有し、
前記電源管理手段は、前記光電変換素子からの電気信号の信号レベルが基準信号レベルに到達している場合に、前記メイン制御手段の電源をオンし、
前記メイン制御手段は、
前記光電変換素子からの電気信号を増幅させる増幅部と、
前記増幅部により増幅させた電気信号に応じてデータ信号を出力するＬＶＤＳ部と、
電源がオンされた後に、前記増幅部により増幅させた電気信号の振幅に基づいて当該電気信号の振幅判定を行い、電源をオンからオフに切り換えるか否かを前記電源管理手段に指示するＬＯＳ部と、
前記ＬＯＳ部による振幅判定の実行タイミングを所定期間だけ遅延させるタイマー部と、を備えることを特徴とする信号伝送装置。
【請求項２】
前記メイン制御手段は、前記増幅部により増幅させた電気信号の振幅が基準振幅に到達していない場合には、前記電源管理手段に対してメイン制御手段の電源オフを指示することを特徴とする請求項１に記載された信号伝送装置。
【発明の詳細な説明】
【技術分野】
【０００１】
本発明は、光信号に応じてデータ信号を伝送する信号伝送装置に係り、特に、光電変換素子を介して受信した光信号に応じて電子機器へとデータ信号を出力する装置に関する。
【背景技術】
【０００２】
近年、自動車等の車両に搭載される各種の電子機器間のデータ伝送を光ケーブルを用いて行う手法が知られている。光ケーブルによって接続される電子機器は、当該光ケーブルを接続するためのコネクタを備え、このコネクタはＦＯＴ（Fiber Optic Transcever）と呼ばれる光電変換モジュールを備えている。この光電変換モジュールにより、光信号が電気信号に変換される。
【０００３】
光電変換モジュールは、例えば、光ケーブル側から送られた光信号を受光する光電変換素子（受光素子）と、素子駆動用ＩＣとを主体に構成されている。素子駆動用ＩＣは、受光素子を介して受信した光信号に応じて電子機器の制御回路へとデータ伝送を行う信号伝送装置としての機能を担っている。この光電変換モジュールでは、消費電力抑制の観点から、非通信時には、モジュールの主要部（素子駆動用ＩＣ）の電源をオフにする非動作状態（スリープ状態）に設定される。
【０００４】
ここで、例えば、特許文献１には、プログラムの異常ループや暴走を検知するためのウォッチドッグタイマに関する技術が開示されている。具体的には、このウォッチドックタイマは、ＣＰＵと、スリープフラグと、カウンタと、ＣＰＵによって制御されてカウンタをリセットするリセット手段とを備えている。ＣＰＵがスリープモードにあるときには、カウンタへのクロック信号の入力が禁止され、カウンタのカウント動作が禁止される。そして、スリープフラグに入力されるＩＲ信号が“１”になると、スリープフラグがリセットされ、ＣＰＵが動作状態（ウェイクアップ状態）となり、ＣＰＵによって制御されてリセット手段によりカウンタがリセットされる。
【先行技術文献】
【特許文献】
【０００５】
【特許文献１】特開平７−５６７７４号公報
【発明の概要】
【発明が解決しようとする課題】
【０００６】
ところで、前述のような光電変換モジュールでは、直流光や振幅の小さい光（ノイズ光）が入力した場合であっても、入力信号ありと判断されていたため、素子駆動用ＩＣ（信号伝送装置）を構成する全ての要素が非動作状態から動作状態へと設定されてしまう。そのため、不必要に信号伝送装置が動作状態へと復帰してしまうため、消費電力の低減を図ることができないという問題がある。また、特許文献１に開示された手法は、ＣＰＵの動作状態または非動作状態の切り替えに、外部から専用のＩＲ信号を入力しなければならないという問題がある。
【０００７】
本発明はかかる事情に鑑みてなされたものであり、その目的は、信号伝送装置の消費電力を抑制することである。
【課題を解決するための手段】
【０００８】
かかる課題を解決するために、本発明は、光ケーブル側から送られた光信号を光電変換素子を介して受信することにより、当該光信号に応じてデータ信号を伝送する信号伝送装置を提供する。この信号伝送装置は、光電変換素子からの電気信号に基づいてデータ伝送を行うメイン制御手段と、電源がオンされた状態に設定されているとともに、前記光電変換素子からの電気信号に基づいて前記メイン制御手段の電源のオンオフを管理する電源管理手段と、を有している。ここで、電源管理手段は、光電変換素子からの電気信号の信号レベルが基準信号レベルに到達している場合に、メイン制御手段の電源をオンする。また、メイン制御手段は、光電変換素子からの電気信号を増幅させる増幅部と、増幅部により増幅させた電気信号に応じてデータ信号を出力するＬＶＤＳ部と、電源がオンされた後に、増幅部により増幅させた電気信号の振幅に基づいて当該電気信号の振幅判定を行い、電源をオンからオフに切り換えるか否かを電源管理手段に指示するＬＯＳ部と、ＬＯＳ部による振幅判定の実行タイミングを所定期間だけ遅延させるタイマー部と、を備えている。
【００１１】
メイン制御手段は、増幅部により増幅させた電気信号の振幅が基準振幅に到達していない場合には、前記電源管理手段に対してメイン制御手段の電源オフを指示することが望ましい。
【発明の効果】
【００１２】
本発明によれば、メイン制御手段の電源がオフのままの状態（非動作状態）であっても、最小限の要素である電源管理手段のみが動作している。この電源管理手段により、外乱に起因した信号か否かを判断することができるので、この結果に応じて、メイン制御手段の電源をオンするか否かを有効に判断することができる。そのため、直流光やノイズ光が入力した場合であっても、信号伝送装置全体の電源をその都度オンするといった必要もなく、信号伝送装置の駆動電流の低減を図ることが可能となるので、消費電力の低減を図ることができる。また、通信に供する信号に応じてメイン制御手段の電源オンオフの許否を判断することができるので、動作状態へと復帰する際に別途の信号を用いるといった必要もない。
【図面の簡単な説明】
【００１３】
【図１】光コネクタ１の構成を模式的に示すブロック図
【図２】素子駆動用ＩＣ１２を模式的に示すブロック構成図
【図３】素子駆動用ＩＣ１２の電源管理に関する動作手順を示すフローチャート
【発明を実施するための形態】
【００１４】
図１は、本発明の実施形態にかかる光コネクタ１の構成を模式的に示すブロック図である。本実施形態にかかる光コネクタ１は、例えば、光通信分野で用いられるレセプタクルタイプの雌型光コネクタである。この光コネクタ１は、ディスプレイやナビゲーションシステムといった各種の電子機器に設けられており、当該電子機器が備えるプリント配線基板２と電気的に接続されている。この光コネクタ１は、例えば、光ケーブルを取り付けた雄型光コネクタが接続されることで、電子機器間で大容量の光通信を行うことを可能としている。
【００１５】
光コネクタ１は、ＦＯＴ（Fiber Optic Transcever）と呼ばれる光電変換モジュール１０を備えている。この光電変換モジュール１０は、金属性リードフレームから延出された複数のリード端子がプリント配線基板２上に半田付けされるようになっている。
【００１６】
また、光コネクタ１は、光電変換モジュール１０（具体的には、後述する受光素子１１）と、雄型光コネクタにおけるフェルール端面（光ケーブル端面）との間に介在する光学部品としてのスリーブ１３を備えている。スリーブ１３は、光透過性を有する透明な材料により成形される導光部材と、この導光部材の周囲に設けられる円筒部とで構成されている。
【００１７】
光電変換モジュール１０は、光電変換素子である受光素子１１および素子駆動用ＩＣ１２を主体に構成されており、受光素子１１および素子駆動用ＩＣ１２は、導電性を有する金属性リードフレーム上にワイヤボンディングされた状態で搭載されている。
【００１８】
受光素子１１としては、フォトダイオード（ＰＤ：Photo Diode）を用いることができる。すなわち、本実施形態にかかる光コネクタ１は、光ケーブルを介して光信号を受信するためのコネクタとして構成されたものである。
【００１９】
なお、光電変換モジュール１０は、受光素子１１およびこの素子駆動用ＩＣ１２に加え、発光素子およびこの素子駆動用ＩＣをさらに備えることで、光信号を送受信可能に構成してもよい。
【００２０】
図２は、素子駆動用ＩＣ１２を模式的に示すブロック構成図である。素子駆動用ＩＣ１２は、受光素子１１を介して光ケーブル側から送られた光信号を受信することにより、この光信号に応じて電子機器（プリント配線基板２）に対してデータ信号ＲＤを伝送する装置であり、信号伝送装置としての機能を担っている。この素子駆動用ＩＣ１２は、これを機能的に捉えた場合、メイン制御ユニット２０と、電源管理ユニット３０とを有している。
【００２１】
本実施形態の特徴の一つとして、メイン制御ユニット２０と電源管理ユニット３０とは機能的に分離しているのみならず、電源系統も互いに独立している。具体的には、電源部４０からメイン制御ユニット２０に対して動作電力を供給する電源ラインには、スイッチ２１が設けられている。このスイッチ２１のオンオフ状態を切り替えることにより、メイン制御ユニット２０の電源をオンしたりオフしたりすることができる。スイッチ２１がオンであれば、メイン制御ユニット２０の電源がオンされた状態となり、スイッチ２１がオフである場合には、メイン制御ユニット２０の電源がオフされた状態となる。一方、電源部４０から電源管理ユニット３０に対して動作電力を供給する電源ラインは常時オンに設定されている。すなわち、電源管理ユニット３０は、定常的に動作状態（電源がオンされた状態）に設定されている点においてメイン制御ユニット２０とは異なる。
【００２２】
メイン制御ユニット２０は、受光素子１１から出力される電気信号（以下「入力信号」という）Ｓigに基づいて、後段の要素（具体的には、電子機器であるプリント配線基板２の制御回路）へとデータ伝送を行うユニットである。メイン制御ユニット２０は、増幅部２２と、ＬＶＤＳ部２３と、ＬＯＳ部２４と、タイマー部２５と、タイミング制御部２６とを有している。
【００２３】
増幅部２２は、受光素子１１からの入力信号Ｓigを増幅させた上で出力させる信号増幅器である。
【００２４】
ＬＶＤＳ部２３は、データ伝送に関する実質的な機能を担っており、増幅部２２により増幅された入力信号Ｓigに応じてデータ信号ＲＤを出力する。ＬＶＤＳ部２３によるデータ伝送の仕様としては、ＬＶＤＳ（Low Voltage Differential Signaling）と呼ばれる高速デジタル信号の伝送に適した低電圧差動信号を用いることができる。このＬＶＤＳは、一対の伝送路に異なる電圧を印加することにより、伝送路間の電圧差を利用して信号伝送を行う。すなわち、ＬＶＤＳ部２３は、入力信号Ｓigに基づいてデータ信号ＲＤを出力すべく、一対の伝送路に対してデータ信号ＲＤ＋，ＲＤ−をそれぞれ出力する。
【００２５】
ＬＯＳ部２４は、増幅部２２により増幅された入力信号Ｓigに基づいて、通信に起因した適正な入力信号Ｓigであるか否かを判定する。この判定は、入力信号Ｓigの振幅と、予め設定された基準振幅（基準電圧）とを比較することにより行われる（信号振幅判定）。ＬＯＳ部２４による判定結果は、ＬＯＳ信号Ｓosとしてタイミング制御部２６に対して出力される。具体的には、ＬＯＳ部２４は、入力信号Ｓigの振幅が基準振幅に到達しない場合には、適正な入力信号Ｓigではない旨の信号（Ｌｏｗ信号）をＬＯＳ信号Ｓosとして出力し、入力信号Ｓigの振幅が基準振幅以上である場合には、適正な入力信号Ｓigである旨の信号（Ｈｉｇｈ信号）をＬＯＳ信号Ｓosとして出力する。
【００２６】
また、本実施形態において、ＬＯＳ部２４から出力されるＬＯＳ信号Ｓosは、タイマー部２５を経由して電源管理ユニット３０にも入力されている。ＬＯＳ部２４は、増幅された入力信号Ｓigの振幅を判断材料とするＬＯＳ信号Ｓosの出力を通じて、メイン制御ユニット２０の電源オンの状態を継続するか否か、すなわち、電源をオンからオフに切り替えるか否かを電源管理ユニット３０に指示している。
【００２７】
タイマー部２５は、電源オン直後（すなわち、メイン制御ユニット２０の起動直後）において、ＬＯＳ部２４による信号振幅判定の実行タイミングを所定期間（例えば、数μ秒）だけ遅延させる機能を担っている。タイマー部２５は、ＬＯＳ部２４による信号振幅判定が電源オン直後の動作の不安定な状態を避けて、動作の安定した状態で実行されるようにとの観点から設けられている。
【００２８】
具体的には、タイマー部２５は、メイン制御ユニット２０の電源オンから所定時間（例えば、数μ秒）経過した後に、ＬＯＳ部２４にトリガー信号Ｓtgを出力する。このトリガー信号Ｓtgの入力後にＬＯＳ部２４が信号振幅判定を行うことにより、精度よくモニタリングされた入力信号Ｓigの振幅に基づいて信号振幅判定を行うことができる。すなわち、タイマー部２５により、ＬＯＳ部２４からのＬＯＳ信号Ｓosが所定時間だけマスクされることとなる。
【００２９】
また、タイマー部２５は、電源管理ユニット３０へと出力されるＬＯＳ信号ＳosがＬｏｗ信号である場合に、このＬＯＳ信号Ｓosの出力を所定時間だけマスクする。すなわち、タイマー部２５は、ＬＯＳ信号ＳosとしてのＬｏｗ信号が所定時間経過した後に、電源管理ユニット３０へとＬＯＳ信号Ｓos（Ｌｏｗ信号）を出力する。
【００３０】
タイミング制御部２６は、自己に入力されるＬＯＳ信号Ｓosを通じて、ＬＶＤＳ部２３の動作タイミングを制御する。このタイミング制御部２６による動作タイミングの制御により、ＬＶＤＳ部２３は、入力信号Ｓigに応じてデータ信号ＲＤ（ＲＤ＋，ＲＤ−）を出力したり、入力信号Ｓigがあったにも拘わらずデータ信号ＲＤを出力しないとしたりすることができる。
【００３１】
また、タイミング制御部２６は、後段の要素（具体的には、電子機器であるプリント配線基板２の制御回路）へとＷＳＤ信号またはＳＤ信号を出力することができる。ここで、ＷＳＤ信号は、入力信号Ｓigとして受信した信号が、前回の電源オフから経過して初めて受信したトーン信号（以下「初期信号」という）に該当する場合に、プリント配線基板２の制御回路を起動するために出力される信号である。ここで、トーン信号は通信元が通信先の存在を認識するために、通信に先立って通信先に応答を求めるために送信される信号であり、通信元は通信先からの応答が認識されるまで所定期間に複数回トーン信号を出力している。一方、ＳＤ信号は、プリント配線基板２の制御回路へとデータ信号ＲＤを出力する際に、このデータ信号ＲＤの出力タイミングと同期してプリント配線基板２の制御回路へと出力される信号である。
【００３２】
電源管理ユニット３０は、入力信号Ｓigに基づいてメイン制御ユニット２０の電源のオンオフを管理する（電源管理手段）。電源管理ユニット３０は、判断処理部３１と、演算部３２とを主体に構成されている。
【００３３】
判断処理部３１は、受光素子１１からの出力である入力信号Ｓigの信号に応じた直流レベルと、予め設定された基準信号レベルとを比較する。判断処理部３１による判断結果は、ＷＤ信号Ｓwdとして、後段の演算部３２に対して出力される。具体的には、判断処理部３１は、入力信号Ｓigの信号直流レベルが基準信号レベルに到達している場合には、メイン制御ユニット２０の電源をオンする旨の信号（Ｈｉｇｈ信号）をＷＤ信号Ｓwdとして出力し、入力信号Ｓigの信号直流レベルが基準信号レベルに到達していない場合には、メイン制御ユニット２０の電源をオンしない旨の信号（Ｌｏｗ信号）をＷＤ信号Ｓwdとして出力する。
【００３４】
演算部３２は、判断処理部３１からのＷＤ信号Ｓwdと、メイン制御ユニット２０（ＬＯＳ部２４）からのＬＯＳ信号Ｓosとに基づいて、スイッチ２１のオンオフ状態を制御する。具体的には、演算部３２は、ＷＤ信号ＳwdとしてＨｉｇｈ信号が入力されると、スイッチ２１をオンに制御する。そして、オン制御後、演算部３２は、ＬＯＳ信号ＳosとしてＬｏｗ信号が入力された場合には、スイッチ２１をオンからオフに制御する。
【００３５】
図３は、素子駆動用ＩＣ１２の電源管理に関する動作手順を示すフローチャートである。このフローチャートに示す処理は、素子駆動用ＩＣ１２により所定の周期で実行される。ここで、受光素子１１に光信号が継続的に入力されていない状態では、素子駆動用ＩＣ１２はスリープ状態に設定されている。このスリープ状態では、スイッチ２１がオフに設定されており、メイン制御ユニット２０の電源はオフされ、電源管理ユニット３０の電源のみがオンされた状態となっている。
【００３６】
まず、ステップ１（Ｓ１）において、判断処理部３１は、受光素子１１からの入力信号Ｓigの信号直流レベルＬsiが基準信号レベルＬthに到達しているか否かを判断する。基準信号レベルＬthは、直流光やノイズ光といった受光素子１１に入力される外乱と、光信号とを切り分けことを前提に、実験やシミュレーションを通じてその最適値が予め設定されている。このステップ１で肯定判定された場合、すなわち、入力信号Ｓigの信号直流レベルＬsiが基準信号レベルＬthに到達している場合には（Ｌsi≧Ｌth）、後述するステップ４（Ｓ４）に進む。一方、ステップ１で否定判定された場合、すなわち、入力信号Ｓigの信号直流レベルＬsiが基準信号レベルＬthに到達していない場合には（Ｌsi＜Ｌth）、ステップ２（Ｓ２）に進む。
【００３７】
ステップ２において、判断処理部３１は、ＷＤ信号ＳwdとしてＬｏｗ信号、すなわち、メイン制御ユニット２０の電源をオンしない旨の信号を出力する。そして、図３に示すように、ステップ１４以降の処理へと進むが、メイン制御ユニット２０の電源がオンされていない場合には、ステップ１４以降の処理を行うことなく、本ルーチンを抜ける。この場合、メイン制御ユニット２０の電源オフが継続される。一方、メイン制御ユニット２０の電源がひとたびオンされている場合には、後述するステップ１４，１５に進む。
【００３８】
一方、ステップ４において、判断処理部３１は、ＷＤ信号ＳwdとしてＨｉｇｈ信号、すなわち、メイン制御ユニット２０の電源をオンする旨の信号を出力する。ステップ４に続くステップ５（Ｓ５）において、演算部３２は、ＷＤ信号ＳwdとしてのＨｉｇｈ信号を受けて、スイッチ２１をオンに制御する。したがって、本ステップにより、メイン制御ユニット２０の電源がオフからオンに切り替えられる。なお、前回の処理サイクルにおいて既にメイン制御ユニット２０の電源がオンとなっている場合、演算部３２はスイッチ２１のオン状態を継続する。
【００３９】
ステップ６（Ｓ６）において、タイマー部２５は、メイン制御ユニット２０の電源投入後にカウントアップされるタイマーの経過時間（第１の経過時間）Ｔct1を参照し、所定の設定時間Ｔth1が経過した後に（Ｔct1≧Ｔth1）、後述するステップ７（Ｓ７）の処理に進む。この設定時間Ｔth1は、実験やシミュレーションを通じて、電源オンから動作が安定するまでの時間が予め設定されている（例えば、数μ秒）。
【００４０】
ステップ７（Ｓ７）において、ＬＯＳ部２４は、増幅部２２により増幅された入力信号Ｓigを読み込むとともに、入力信号Ｓigの振幅Ａｃが基準振幅Ａｃth以上であるか否かを判断する。この基準振幅Ａｃthは、ＤＣ光やノイズといった受光素子１１に入力される外乱要素と、適正な光信号とを切り分けことを前提に、実験やシミュレーションを通じてその最適値が予め設定されている。このステップ７において肯定判定された場合、すなわち、入力信号Ｓigの振幅Ａｃが基準振幅Ａｃth以上である場合には、ステップ９（Ｓ９）に進む。一方、ステップ７において否定判定された場合、すなわち、入力信号Ｓigの振幅Ａｃが基準振幅Ａｃthよりも小さい場合には、後述するステップ１３（Ｓ１３）に進む。
【００４１】
ステップ９において、ＬＯＳ部２４は、ＬＯＳ信号ＳosとしてＨｉｇｈ信号、すなわち、適正な入力信号Ｓigである旨の信号を出力する。この場合、演算部３２は、ＬＯＳ信号ＳosとしてのＨｉｇｈ信号を受けて、スイッチ２１をオンのままに制御する。したがって、先のステップ５においてメイン制御ユニット２０の電源がオンされた後、ＬＯＳ部２４によって適正な入力信号Ｓigであると判断された場合には、メイン制御ユニット２０の電源オン状態が継続されることとなる。
【００４２】
ステップ１０（Ｓ１０）において、ＬＯＳ部２４は、読み込んだ入力信号Ｓigが初期信号であるか否かを判断する。このステップ１０において肯定判定された場合、すなわち、読み込んだ入力信号Ｓigが初期信号である場合には、ステップ１１（Ｓ１１）に進む。一方、ステップ１０において否定判定された場合、すなわち、読み込んだ入力信号Ｓigが初期信号でない場合には、ステップ１２（Ｓ１２）に進む。
【００４３】
ステップ１１において、タイミング制御部２６は、ＬＯＳ部２４の判定結果を受けて、ＷＳＤ信号をＳＤ出力として所定の期間する。また、タイミング制御部２６によるＬＶＤＳ部２３の動作タイミングの制御により、ＷＳＤ信号を出力している期間においてＬＶＤＳ部２３はデータ信号ＲＤ（ＲＤ＋，ＲＤ−）の出力を中止させている。
【００４４】
一方、ステップ１２において、ＬＶＤＳ部２３による通信を行う。具体的には、タイミング制御部２６は、ＬＯＳ信号Ｓosを通じてＬＶＤＳ部２３を動作タイミングを制御する。これにより、ＬＶＤＳ部２３はＬＯＳ信号ＳosとしてのＨｉｇｈ信号に対応して起動し、入力信号Ｓigに応じてデータ信号ＲＤ（ＲＤ＋，ＲＤ−）を出力する。
【００４５】
これに対して、ステップ１３において、ＬＯＳ部２４は、ＬＯＳ信号ＳosとしてＬｏｗ信号、すなわち、適正な入力信号Ｓigではない旨の信号を出力する。
【００４６】
ステップ１４において、タイマー部２５は、ＬＯＳ信号ＳosとしてのＬｏｗ信号の経過とともにカウントアップされるタイマーの経過時間（第２の経過時間）Ｔct2が、所定の判定時間Ｔth2に到達したか否かを判断する。この判定時間Ｔth2は、実験やシミュレーションを通じて、ＬＯＳ信号ＳosとしてのＬｏｗ信号をマスクする期間が予め設定されている。
【００４７】
このステップ１４において否定判定された場合、すなわち、第２の経過時間Ｔct2が判定時間Ｔth2に到達していない場合には（Ｔct2＜Ｔth2）、本ルーチンを抜ける。一方、ステップ１４において肯定判定された場合、すなわち、第２の経過時間Ｔct2が判定時間Ｔth2に到達した場合には（Ｔct2≧Ｔth2）、ステップ１５に進む。
【００４８】
ステップ１５では、第２の経過時間Ｔct2を経てタイマー部２５によりマスクされていたＬＯＳ信号Ｓos（Ｌｏｗ信号）が演算部３２に出力される。この場合、演算部３２は、ＬＯＳ信号ＳosとしてのＬｏｗ信号を受けてスイッチ２１をオフに制御する。これにより、メイン制御ユニット２０の電源がオフされる。
【００４９】
このように、判断処理部３１およびＬＯＳ部２４は、通信中においても入力信号Ｓigに対してその信号直流レベルおよび振幅の判断を継続的に行う。
【００５０】
このように本実施形態において、素子駆動用ＩＣ１２は、光ケーブル側から送られた光信号を受光素子１１を介して受信することにより、光信号に応じたデータ信号を伝送する信号伝送装置として機能している。この場合、メイン制御ユニット２０は、受光素子１１からの電気信号である入力信号Ｓigに基づいてデータ伝送を行う。一方、電源管理ユニット３０は、電源が常時オンされた状態に設定されているとともに、入力信号Ｓigに基づいてメイン制御ユニット２０の電源のオンオフを管理する。
【００５１】
かかる構成によれば、素子駆動用ＩＣ１２が、その主たる機能を担うメイン制御ユニット２０と電源管理ユニット３０とに分離されている。また、電源管理ユニット３０は、常時電源がオンされており、受光素子１１からの電気信号（入力信号）Ｓigに基づいてメイン制御ユニット２０の電源のオンオフを管理することができる。そのため、メイン制御ユニット２０の電源がオフのままの状態（非動作状態）であっても、電源管理ユニット３０が有効な通信信号か否かを判断し、この結果に応じて、メイン制御ユニット２０の電源のオンオフを判断することができる。そのため、直流光やノイズ光が入力した場合であっても、素子駆動用ＩＣ１２全体の電源をその都度オンするといった必要がなくなるので、素子駆動用ＩＣ１２の駆動電流の低減を図ることが可能となり、これにより、消費電力の低減を図ることができる。また、通信に供する信号に応じてメイン制御ユニット２０の電源をオンオフすることができるので、別途の信号を用いるといった必要もない。
【００５２】
また、本実施形態によれば、電源管理ユニット３０は、受光素子１１からの入力信号Ｓigの信号直流レベルＬsiが基準信号レベルＬthに到達している場合に、メイン制御ユニット２０の電源をオンしている。かかる構成によれば、例えば、振幅の小さい光といったノイズ光を受信したような場合には、これを通信とは異なる信号であると有効に切り分けることができる。そのため、素子駆動用ＩＣ１２全体の電源を不必要にオンする必要がなくなるため、消費電力の低減を図ることができる。
【００５３】
また、本実施形態によれば、メイン制御ユニット２０は、受光素子１１からの入力信号Ｓigを増幅させる信号増幅機能を備え、増幅させた入力信号Ｓigに基づいてデータ伝送を行っており、電源オンの後に、増幅させた入力信号Ｓigの振幅に基づいて、電源をオフするか否かを判断する。かかる判断により、例えば、直流光を受信したような場合であっても、これを通信とは異なる信号であると有効に切り分けることができる。
【００５４】
また、本実施形態によれば、メイン制御ユニット２０は、入力信号Ｓigの振幅Ａｃが基準振幅Ａｃthに到達していない場合には、電源管理ユニット３０に対してメイン制御ユニット２０の電源オフを指示する。これにより、例えば、直流光を受信したような場合であっても、素子駆動用ＩＣ１２全体の電源を再度オフすることで、消費電力の低減を図ることができる。
【００５５】
以上、本実施形態にかかる信号伝送装置について説明したが、本発明はこの実施形態に限定されることなく、その発明の範囲において種々の変更が可能であることは言うまでもない。例えば、電源管理ユニット３０は、受光素子１１からの入力信号Ｓigの信号直流レベルＬsiのみならず、入力信号Ｓigの振幅を利用して判断してもよい。この場合、入力信号Ｓigの振幅が基準振幅に到達している場合に、メイン制御ユニット２０の電源をオンするといった如くである。
【符号の説明】
【００５６】
１  光コネクタ
２  プリント配線基板
１０  光電変換モジュール
１１  受光素子
１２  素子駆動用ＩＣ
２０  メイン制御ユニット
２１  スイッチ
２２  増幅部
２３  ＬＶＤＳ部
２４  ＬＯＳ部
２５  タイマー部
２６  タイミング制御部
３０  電源管理ユニット
３１  判断処理部
３２  演算部
【図１】
0005582942.tif 000002
【図２】
0005582942.tif 000003
【図３】
0005582942.tif 000004